(57)【要約】【課題】  簡易な方法で金属とＲＦタグが重ならないようにして、金属による磁束減衰障害の影響を低減し、ＲＦタグの情報を効率的に読み取ることが可能なＲＦタグ付の封筒を提供する。【解決手段】  この封筒４１は封筒４１の開口側４７の領域を上部領域４３とし、この上部領域４３の下側の領域を下部領域４６とした場合、分離手段は上部領域４３と下部領域４６との境界に位置する仕切り４５であり、上部領域４３に物品を収納し、下部領域４６にＲＦタグ２００を取り付けるものである。【選択図】  図４
2006089115.tif 000002
【特許請求の範囲】
【請求項１】
収納する金属性物品の関連情報を記録したＲＦタグを取り付けた封筒であって、当該封筒に収納する金属性物品と前記ＲＦタグとの位置関係が前記関連情報を読み書きするリーダライタの読み取り方向から見て重畳しないように分離し、且つ相互移動を禁止する分離手段を備えたことを特徴とするＲＦタグを備えた封筒。
【請求項２】
前記封筒の開口側の領域を上部領域とし、該上部領域の下側の領域を下部領域とした場合、前記分離手段は前記上部領域と下部領域との境界に位置した仕切りであり、前記上部領域に収納した金属性物品が前記下部領域に配置した前記ＲＦタグ側へ相対的に移動することを禁止することを特徴とする請求項１に記載のＲＦタグを備えた封筒。
【請求項３】
前記分離手段は、前記封筒の開口部を除いた周縁領域と、該周縁領域の内側に位置して物品を収納する物品収納領域との境界に位置した仕切りであり、前記物品収納領域に収納した金属性物品が前記周縁領域に配置した前記ＲＦタグ側へ相対的に移動することを禁止することを特徴とする請求項１に記載のＲＦタグを備えた封筒。
【請求項４】
前記分離手段は、シールを貼付するシール貼付領域と前記物品を収納する物品収納領域との境界に位置した仕切りであり、前記物品収納領域に収納した金属性物品が前記シール貼付領域に配置した前記ＲＦタグ側へ相対的に移動することを禁止することを特徴とする請求項１に記載のＲＦタグを備えた封筒。
【請求項５】
前記分離手段は、前記金属性物品を収納する金属性物品収納領域と前記物品を収納する物品収納領域との境界に位置した仕切りであり、前記物品収納領域に前記金属性物品以外の物品を収納し、且つ前記ＲＦタグを取り付けることを特徴とする請求項１に記載のＲＦタグを備えた封筒。
【請求項６】
前記分離手段は、前記封筒の外周部より突出した外部領域と前記物品を収納する物品収納領域との境界に位置した仕切りであり、前記物品収納領域に物品を収納し、前記外部領域に前記ＲＦタグを取り付けることを特徴とする請求項１に記載のＲＦタグを備えた封筒。
【請求項７】
前記封筒を収納する親封筒を更に備え、前記親封筒の開口側の領域を上部領域とし、該上部領域の下側の領域を下部領域とした場合、前記分離手段は前記上部領域と下部領域との境界に位置した仕切りであり、前記上部領域に前記封筒を収納し、前記下部領域に前記ＲＦタグを取り付けることを特徴とする請求項１に記載のＲＦタグを備えた封筒。
【請求項８】
前記封筒を収納する親封筒を更に備え、前記親封筒の開口部を除いた領域を周縁領域とし、前記封筒を収納する領域を封筒収納領域とした場合、前記分離手段は前記周縁領域と封筒収納領域との境界に位置した仕切りであり、前記封筒収納領域に前記封筒を収納し、前記周縁領域に前記ＲＦタグを取り付けることを特徴とする請求項１に記載のＲＦタグを備えた封筒。
【請求項９】
前記封筒に対して荷札状に外付けされる別体の札部材を更に備え、前記ＲＦタグを前記札部材に取り付けたことを特徴とする請求項１に記載のＲＦタグを備えた封筒。
【請求項１０】
前記封筒の開口部側に前記ＲＦタグを固定配置し、該ＲＦタグに記録されている関連情報の読取り時には、前記ＲＦタグから離間した位置に前記金属性物品を退避させた状態での読取を可能としたことを特徴とする請求項１に記載のＲＦタグを備えた封筒。
【請求項１１】
前記ＲＦタグは制御ＩＣとアンテナとを備え、前記制御ＩＣを前記封筒の所定の場所に固定配置すると共に、前記アンテナを前記封筒の外周全域に亘って固定配置したことを特徴とするＲＦタグを備えた封筒。
【請求項１２】
前記ＲＦタグは制御ＩＣとアンテナとを備え、前記制御ＩＣを前記封筒の所定の場所に固定配置すると共に、前記アンテナを前記封筒の周囲に巻き付け配置したことを特徴とするＲＦタグを備えた封筒。
【請求項１３】
前記ＲＦタグは制御ＩＣとアンテナとを備え、前記制御ＩＣを前記封筒の所定の場所に固定配置すると共に、前記アンテナをリング状にして前記封筒の一部から突出して配置したことを特徴とするＲＦタグを備えた封筒。
【請求項１４】
前記ＲＦタグは制御ＩＣとアンテナとを備え、前記制御ＩＣを前記アンテナと一体化すると共に、前記アンテナは前記封筒の開口部に着脱する止め具を兼ねることを特徴とするＲＦタグを備えた封筒。
【請求項１５】
前記ＲＦタグは制御ＩＣとアンテナとを備え、前記制御ＩＣを前記封筒の所定の場所に固定配置すると共に、前記アンテナを前記封筒の四隅に固定配置して互いに接続したことを特徴とするＲＦタグを備えた封筒。
【請求項１６】
物品の関連情報を記録したＲＦタグを取り付けた封筒であって、前記ＲＦタグを前記封筒の少なくとも２つの角隅部に配置したことを特徴とする請求項３、５、または８に記載のＲＦタグを備えた封筒。
【発明の詳細な説明】
【技術分野】
【０００１】
本発明は、収納する物品の関連情報を記録したＲＦタグを取り付けた封筒に関し、さらに詳しくは、リーダライタの読み取り方向に対してＲＦタグが封筒に収納した金属物品と重ならないように構成した封筒に関するものである。
【背景技術】
【０００２】
近年、ＩＣカードと呼ばれる新しい情報記録媒体が、市場に広く出回っている。ＩＣカードは、クレジットカード、銀行カード、ポイントカード等のカード状あるいはシート状の形状を備え、カード内にＩＣ(Integrated Circuit)が組み込まれているものを総称した名称である。最近では、ＩＣカードと同様の原理で物に取り付けるＲＦタグが、各種物品に付されて在庫管理等の効率化に貢献している。このようなＩＣカードやＲＦタグは、リーダライタとの間でのデータの授受を電波にて行うため、定期券等のように１枚単位で処理されるＩＣカードでは特に発生しない特有の問題を有している。
例えば、封筒にＲＦタグを貼付して仕分け等の管理をする際、封筒内に封入される物が紙類のみとは限らず、硬貨等の金属が含まれている場合も想定される。従って、ＲＦタグと硬貨とが近接していたり、或いは少なくとも一部が重なった位置関係にある場合、リーダライタによりＲＦタグの記録情報を読み取ろうとすると、硬貨（金属）による磁束反射障害によりＲＦタグの情報が正しく読み取れないといった問題が発生する。
この問題を解決するために、図１９のようにＲＦタグ２００の片面に磁束７０、７３の磁路を形成する磁性シート７２を配置することにより、ＲＦタグ２００の直下に金属（この場合は硬貨）７５が存在していても、磁束７０、７３が磁性シート７２を磁路としてＲＦタグ２００の図示しないループアンテナを横切るため、図示しないリーダライタとの交信を行うことができる。尚、図で磁束７４が金属（この場合は硬貨）７５により減衰されるが、磁性シート７２が磁束の通路となり金属の影響を無視することができる。
この磁性シートを備えた非接触型情報授受装置については、特開２００１−３３１７７２公報に開示されている。
【特許文献１】特開２００１−３３１７７２公報
【発明の開示】
【発明が解決しようとする課題】
【０００３】
しかしながら、図１９の磁性シート７２を有するＲＦタグ２００を貼付した現金書留封筒を、１枚単位でリーダライタにより読み取るのであれば特に問題はないが、多数の封筒を仕分けするためには多大の時間を要し、非常に効率が悪い。
またＲＦタグに磁性シートを貼り付けなければならず、コスト的にＲＦタグが高くなるといった問題がある。
本発明は、かかる課題に鑑み、簡易な方法で金属とＲＦタグが重ならないようにして、金属による磁束減衰障害の影響を低減し、ＲＦタグの情報を効率的に読み取ることが可能なＲＦタグ付の封筒を提供することを目的とする。
【課題を解決するための手段】
【０００４】
本発明はかかる課題を解決するために、請求項１は、収納する金属性物品の関連情報を記録したＲＦタグを取り付けた封筒であって、当該封筒に収納する金属性物品と前記ＲＦタグとの位置関係が、前記関連情報を読み書きするリーダライタの読み取り方向から見て重畳しないように分離し、且つ相互移動を禁止する分離手段を備えたことを特徴とする。
本発明の基本的な考え方は、ＲＦタグを取り付けた封筒において、封筒に収納する物品（特に金属性の物品）とＲＦタグが、リーダライタの読み取り方向から見て重ならないように分離することである。そのための分離手段を備えたことが大きな特徴である。なお、重畳とは、一部が重なる場合のみならず、近接しているために、リーダライタが誤動作する場合を含むものである。
請求項２は、前記封筒の開口側の領域を上部領域とし、該上部領域の下側の領域を下部領域とした場合、前記分離手段は前記上部領域と下部領域との境界に位置した仕切りであり、前記上部領域に収納した金属性物品が前記下部領域に配置した前記ＲＦタグ側へ相対的に移動することを禁止することを特徴とする。
本発明の分離手段は、封筒を上下に分離してその境界に仕切りを備えることである。例えば、封筒の開口側を上部領域とした場合、その下側は下部領域であり、上部領域に物品を収納し、下部領域にＲＦタグを取り付けるものである。仕切りとは、一方の領域から他方の領域への物品やタグの移動を阻止するに足る手段であり、例えば接着剤、両面シール、内袋等によって構成される。
請求項３は、前記分離手段は、前記封筒の開口部を除いた周縁領域と、該周縁領域の内側に位置して物品を収納する物品収納領域との境界に位置した仕切りであり、前記物品収納領域に収納した金属性物品が前記周縁領域に配置した前記ＲＦタグ側へ相対的に移動することを禁止することを特徴とする。
本発明の分離手段は、封筒の周辺領域（左右と底部の領域）と物品収納部を分離するためにその境界に配置される仕切である。例えば、封筒の開口部を除いた領域を周縁領域として、それ以外の領域に物品を収納し、周縁領域にＲＦタグを取り付けるものである。
【０００５】
請求項４は、前記分離手段は、シールを貼付するシール貼付領域と前記物品を収納する物品収納領域との境界に位置した仕切りであり、前記物品収納領域に収納した金属性物品が前記シール貼付領域に配置した前記ＲＦタグ側へ相対的に移動することを禁止することを特徴とする。
本発明の分離手段は、シールを貼る領域を所定の箇所に決めておき、その領域を分離するために仕切りを設け、その部分にＲＦタグを取り付けるものである。
請求項５は、前記分離手段は、前記金属性物品を収納する金属性物品収納領域と前記物品を収納する物品収納領域との境界に位置した仕切りであり、前記物品収納領域に前記金属性物品以外の物品を収納し、且つ前記ＲＦタグを取り付けることを特徴とする。
本発明の分離手段は、収納する物品の中から予め金属性の物品を金属性物品収納領域に分けて収納するものである。そしてその領域を避けてＲＦタグを取り付けるようにする。
請求項６は、前記分離手段は、前記封筒の外周部より突出した外部領域と前記物品を収納する物品収納領域との境界に位置した仕切りであり、前記物品収納領域に物品を収納し、前記外部領域に前記ＲＦタグを取り付けることを特徴とする。
封筒の内部に仕切りを設けると、内部に収納する物品の領域が狭くなる。そこで本発明では、封筒の大きさを変えないで、ＲＦタグを封筒の外部に取り付けるための外部領域を設けるものである。
【０００６】
請求項７は、前記封筒を収納する親封筒を更に備え、前記親封筒の開口側の領域を上部領域とし、該上部領域の下側の領域を下部領域とした場合、前記分離手段は前記上部領域と下部領域との境界に位置した仕切りであり、前記上部領域に前記封筒を収納し、前記下部領域に前記ＲＦタグを取り付けることを特徴とする。
本発明は封筒に仕切りを設けない方法として、その封筒全体を更に大きい親封筒に収納するものである。そして親封筒を上下に分離して、上部に封筒を収納し、下部にＲＦタグを取り付けるものである。
請求項８は、前記封筒を収納する親封筒を更に備え、前記親封筒の開口部を除いた領域を周縁領域とし、前記封筒を収納する領域を封筒収納領域とした場合、前記分離手段は前記周縁領域と封筒収納領域との境界に位置した仕切りであり、前記封筒収納領域に前記封筒を収納し、前記周縁領域に前記ＲＦタグを取り付けることを特徴とする。
本発明は封筒に仕切りを設けない他の方法として、その封筒全体を更に大きい親封筒に収納するものである。そして親封筒の周辺を分離して、中心部に封筒を収納し、周辺にＲＦタグを取り付けるものである。
請求項９は、前記封筒に対して荷札状に外付けされる別体の札部材を更に備え、前記ＲＦタグを前記札部材に取り付けたことを特徴とする。
本発明は封筒に仕切りを設けない替わりに、封筒とは別体の札部材を紐等で封筒に取り付け、その札部材にＲＦタグを取り付けるものである。札部材自体がＲＦタグを構成している場合を含むものである。
請求項１０は、前記封筒の開口部側に前記ＲＦタグを固定配置し、該ＲＦタグに記録されている関連情報の読取り時には、前記ＲＦタグから離間した位置に金属性物品を退避させた状態での読取を可能としたことを特徴とする。
封筒内の物品に硬貨等の金属性の物品が収納された場合、ＲＦタグを読み取るときに封筒を立てると重力の関係で重たい硬貨は封筒の底部に集まる。本発明はこの原理を利用して、ＲＦタグを封筒の上部（開口部側）に取り付け、ＲＦタグの上方をリーダライタにより読み取るときは、封筒を立てるようにするものである。
【０００７】
請求項１１は、前記ＲＦタグは制御ＩＣとアンテナとを備え、前記制御ＩＣを前記封筒の所定の場所に固定配置すると共に、前記アンテナを前記封筒の外周全域に亘って固定配置したことを特徴とする。
本発明は封筒に分離手段を設けないで金属性の物品による影響を低減するものである。即ち、ＲＦタグに備えられたアンテナは左程大きくないので、そのアンテナに金属が重なる（近接する場合を含む）状況が発生すると、磁束反射障害によりデータが正しく読み取れなくなる。そこで本発明では、アンテナを封筒の外周全域に亘って配置して、金属が重なっても磁束減衰障害による影響を低減するものである。
請求項１２は、前記ＲＦタグは制御ＩＣとアンテナとを備え、前記制御ＩＣを前記封筒の所定の場所に固定配置すると共に、前記アンテナを前記封筒の周囲に巻き付け配置したことを特徴とする。
本発明はアンテナを封筒の周囲に巻きつけるように配置するものである。この場合は、リーダライタの読み取り方向が封筒の上下方向となり、側面からの読み取りは困難となるが、その分金属の影響が少なくなる。
請求項１３は、前記ＲＦタグは制御ＩＣとアンテナとを備え、前記制御ＩＣを前記封筒の所定の場所に固定配置すると共に、前記アンテナをリング状にして前記封筒の一部から突出して配置したことを特徴とする。
封筒内の金属の影響を受けにくくするには、アンテナを封筒の外部に設けることが最良である。本発明では、アンテナをリング状にして封筒の外部に突出させるものである。
【０００８】
請求項１４は、前記ＲＦタグは制御ＩＣとアンテナとを備え、前記制御ＩＣを前記アンテナと一体化すると共に、前記アンテナは前記封筒の開口部に着脱する止め具を兼ねることを特徴とする。
封筒の開口部は糊やクリップ等で固定される。本発明はアンテナをクリップ等の形状にして、そのアンテナに制御ＩＣを一体化して備えるものである。
請求項１５は、前記ＲＦタグは制御ＩＣとアンテナとを備え、前記制御ＩＣを前記封筒の所定の場所に固定配置すると共に、前記アンテナを前記封筒の四隅に固定配置して互いに接続したことを特徴とする。
封筒内の金属の影響が最も少ない場所は封筒の四隅である。そこで本発明ではアンテナを封筒の四隅に分散して配置し、各アンテナを並列に接続してデータ受信の感度を高めるものである。
請求項１６は、物品の関連情報を記録したＲＦタグを取り付けた封筒であって、前記ＲＦタグを前記封筒の少なくとも２つの角隅部に配置したことを特徴とする。
封筒内の金属の影響が最も少ない場所は封筒の四隅である。そこで本発明ではＲＦタグを封筒の少なくとも２つの角隅部に配置し、各ＲＦタグからのデータを並行して受信してデータの信頼性を高めるものである。
【発明の効果】
【０００９】
請求項１の発明によれば、封筒に収納する金属性物品とＲＦタグの位置関係が、リーダライタの読み取り方向から見て重畳しないように分離するので、金属による磁束減衰障害の影響を低減することができる。
また請求項２では、封筒を上下に分離して上部領域に物品を収納し、下部領域にＲＦタグを取り付けるので、ＲＦタグの位置を揃えることが容易となり、且つ金属による磁束減衰障害の影響を低減することができる。
また請求項３では、周縁領域以外の領域に物品を収納し、周縁領域にＲＦタグを取り付けるので、ＲＦタグの取り付ける位置が広がり、且つ金属による磁束減衰障害の影響を低減することができる。
また請求項４では、切手を貼る部分にＲＦタグを取り付けるので、物品収納領域が広くなり、またＲＦタグの位置が限定的に決まるので読み取りが容易となり、且つ金属による磁束減衰障害の影響を低減することができる。
また請求項５では、予め金属性の物品を金属性物品収納領域に分けて収納するので、ＲＦタグの取り付け位置が広範囲となり、封筒取り扱いの利便性が高くなると共に、金属による磁束減衰障害の影響を低減することができる。
また請求項６では、ＲＦタグを封筒の外部の外部領域に取り付けるので、封筒の収納部を仕切る必要がなくなり、汎用的な封筒を使用することができると共に、金属による磁束減衰障害の影響を低減することができる。
また請求項７では、封筒全体を収納する親封筒を備え、その親封筒を上下に分離して上部に封筒を収納し、下部にＲＦタグを取り付けるので、封筒を加工する必要がなくなり汎用的な封筒を使用することができると共に、親封筒を再使用することができ、且つ金属による磁束減衰障害の影響を低減することができる。
また請求項８では、親封筒の周辺を分離して中心部に封筒を収納し、周辺にＲＦタグを取り付けるので、封筒を加工する必要がなくなり汎用的な封筒を使用することができると共に、親封筒を再使用することができ、且つ金属による磁束減衰障害の影響を低減することができる。
また請求項９では、封筒とは別体の札部材を紐等で封筒に取り付け、その札部材にＲＦタグを取り付けるので、封筒を加工する必要がなくなり汎用的な封筒を使用することができると共に、札部材を再使用することができ、且つ金属による磁束減衰障害の影響を低減することができる。
また請求項１０では、ＲＦタグを封筒の上部（開口部側）に取り付け、ＲＦタグの上方をリーダライタにより読み取るときは、封筒を立てるようにすることにより、金属が封筒の底部に集まるので、ＲＦタグと金属を分離することができ、金属による磁束減衰障害の影響を低減することができる。
【００１０】
また請求項１１では、ＲＦタグを構成するアンテナを封筒の外周全域に亘って配置するので、アンテナに金属が重なっても磁束減衰障害の影響を低減することができる。
また請求項１２では、ＲＦタグを構成するアンテナを封筒の周囲に巻きつけるように配置するので、アンテナに金属が重なる確率を減らし、磁束減衰障害の影響を低減することができる。
また請求項１３では、ＲＦタグを構成するアンテナをリング状にして封筒の外部に突出させて設けるので、アンテナがストラップとしての役割を兼ねると共に、金属による磁束減衰障害の影響を低減することができる。
また請求項１４では、アンテナをクリップ等の形状にして、そのアンテナに制御ＩＣを一体化して備えるので、アンテナを再使用することができ、且つ金属による磁束減衰障害の影響を低減することができる。
また請求項１５では、アンテナを封筒の四隅に分散して配置し、各アンテナを並列に接続するので、アンテナから受信するデータ受信の感度を高めることができると共に、金属による磁束減衰障害の影響を低減することができる。
また請求項１６では、ＲＦタグを封筒の少なくとも２つの角隅部に配置し、各ＲＦタグからのデータを並列に受信するので、各ＲＦタグから受信したデータの信頼性を高めることができる。
【発明を実施するための最良の形態】
【００１１】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、一般的なＲＦタグ用リーダライタの構成を示すブロック図である。このＲＦタグ用リーダライタ（以下、単にリーダライタと呼ぶ）１００は、リーダライタ１００との間でデータの授受を行ってシステム全体を制御するＰＣ５０によって制御される。リーダライタ１００は、外部のＰＣ５０とのデータの通信プロトコルを司る送受信装置１と、リーダライタ１００全体の動作を制御する制御装置２と、制御装置２を動作させる手順を記録したファームウェアと読み取ったデータを格納するメモリ装置３と、制御装置２からのデータを搬送波に乗せて変調する変調器４と、操作コマンドを入力する入力装置５と、制御装置２により制御された情報を表示する表示装置６と、制御装置２からの交流信号である電力供給用信号と変調器４からの書き込みコマンドを電力増幅する電力増幅器７と、ループアンテナ９から受信した搬送波から２値化データに変換する検波復調器８と、図示しないＲＦタグとの電力用搬送波とデータの授受をするループアンテナ９とを備えて構成されている。
次に、本構成によるリーダライタ１００の動作を説明する前に、ＲＦタグの構成を先に説明しておく。図２は、一般的なＲＦタグの構成を示すブロック図である。本実施形態のＲＦタグ２００は、リーダライタ１００からの電力用搬送波によりデータの授受をするループアンテナ２０と、書き込みコマンド読み出しコマンドを生成する送受信回路２１と、ループアンテナ２０からの電力用搬送波を受け、それを整流して直流電力に変換する電力生成回路２２と、制御用ファームウェアとデータの記憶を司るメモリ装置２３と、制御回路２６からの送信コマンドに搬送波を乗せて変調する変調器２４と、送受信回路２１からの搬送波データから２値化データに変換する検波器２５と、ＲＦタグ２００の全体の動作を制御する制御回路２６から構成されている。
【００１２】
次に、図１と図２を併せて参照してそれぞれ単独の動作について説明する。リーダライタ１００は、図示しない電源が入れられると制御装置２のイニシャル動作後、メモリ装置３に記憶されたプログラムに従い動作を開始する。まず、初期化が行われる。次に、制御装置２は、ＲＦタグ２００に供給する電力供給用信号と、ポーリング信号を交互に電力増幅器７から送信する。その信号は、ループアンテナ９から電磁波として外部に放射される。次に、ＲＦタグ２００がリーダライタ１００に近接すると、ループアンテナ２０が搬送波から電力生成回路２２により整流して直流電力に変換して、ＲＦタグ内の全ての回路に供給する。電力を供給されて制御回路２６が駆動すると、メモリ装置２３に格納されたプログラムに従って、制御を開始する。
次に、制御回路２６は、まず送受信回路２１からコマンドを検波器２５で復調して２値化信号に変換し、そのコマンドを解析する。その結果自分が呼び出されていることを認識すると、レスポンスを変調器２４により変調して送受信回路２１を介してループアンテナ２０から送信する。このレスポンスをリーダライタ１００がループアンテナ９で受信して、検波復調器８で２値化コードに変換し、制御回路２により解析してＲＦタグ２００が規格に合致したタグであると認識する。それにより、以後リーダライタ１００とＲＦタグ２００の間でデータの授受が行われる。
図３は、本発明のＲＦタグの外形透視図であり、以下、この構成全体を指してＲＦタグと呼ぶ。図３（Ａ）は上面図であり、図３（Ｂ）は側面図である。このＲＦタグ２００は、図３（Ａ）の上面図から明らかなように、ポリ塩化ビニル（ＰＶＣ）シート等を溶着してループアンテナ２０と制御ＩＣ２０１を保持するインレット３１と、インレット３１の外周に亘って形成されたループアンテナ２０と、ループアンテナ２０を介して所定の変調方式に基づく搬送電力の送信とデータの授受を制御する制御ＩＣ２０１とを備えて構成される。
【００１３】
図４は本発明の第１の実施形態に係る封筒の構成図である。この封筒４１は封筒４１の開口側４７の領域を上部領域４３とし、この上部領域４３の下側の領域を下部領域４６とした場合、上部領域４３と下部領域４６間を仕切る手段としての分離手段は上部領域４３と下部領域４６との境界に位置する仕切り４５であり、上部領域４３に物品を収納し、下部領域４６にＲＦタグ２００を取り付けるものである。このように封筒４１を分離手段としての仕切４５により上下に分離して上部領域４３に物品を収納し、下部領域４６にＲＦタグ２００を取り付けるので、ＲＦタグ２００の位置を揃えることが容易となり、例えば、上部領域４３に金属性物品（硬貨等）４４が収納されても、図示しないリーダライタの読み取り方向から見てＲＦタグ２００と重なることがなくなり、金属性物品４４による磁束反射障害の影響を低減することができる。尚、仕切りとは、一方の領域から他方の領域への物品やタグの移動を阻止するに足る手段であり、例えば接着剤、両面シール、内袋等によって構成される。
図５は本発明の第２の実施形態に係る封筒の構成図である。この封筒５１は分離手段として、封筒５１の開口側５６を除いた周縁領域５３と物品を収納する物品収納領域５２の境界に位置する仕切り５４を設ける。そして物品収納領域５２に物品を収納し、周縁領域５３にＲＦタグ２００を取り付けるものである。このように周縁領域５３以外の領域（物品収納領域５２）に物品を収納し、周縁領域５３にＲＦタグ２００を取り付けるので、ＲＦタグ２００の取り付ける位置が広がると共に、例えば物品収納領域５２に金属性物品（硬貨等）５５が収納されても、図示しないリーダライタの読み取り方向から見てＲＦタグ２００と重なったり、近接することがなくなり、金属性物品５５による磁束減衰障害の影響を低減することができる。
【００１４】
図６は本発明の第３の実施形態に係る封筒の構成図である。この封筒６１は分離手段として、切手を貼付する切手貼付領域６３と物品を収納する物品収納領域６２との境界に位置する仕切り６４を設ける。そして物品収納領域６２に物品を収納し、切手貼付領域６３にＲＦタグ２００を取り付けるものである。このように切手を貼る部分（切手貼付領域６３）にＲＦタグ２００を取り付けるので、物品収納領域６２が広くなり、またＲＦタグ２００の位置が限定的に決まるので読み取りが容易となると共に、例えば物品収納領域６２に金属性物品（硬貨等）６６が収納されても、図示しないリーダライタの読み取り方向から見てＲＦタグ２００と重なることがなくなり、金属性物品６６による磁束減衰障害の影響を低減することができる。
図７は本発明の第４の実施形態に係る封筒の構成図である。この封筒７１は分離手段として、金属性物品（硬貨等）７４を収納する金属性物品収納領域７３とその他の物品を収納する物品収納領域７２との境界に位置する仕切り７５を設ける。そして物品収納領域７２に金属性物品以外の物品を収納し、そこにＲＦタグ２００を取り付けるものである。このように予め金属性物品７４を金属性物品収納領域７３に分けて収納するので、ＲＦタグ２００の取り付け位置が広範囲となり、封筒取り扱いの利便性が高くなると共に、図示しないリーダライタの読み取り方向から見て金属性物品７４とＲＦタグ２００とが重なることがなくなり、金属性物品７４による磁束減衰障害の影響を低減することができる。
【００１５】
図８は本発明の第５の実施形態に係る封筒の構成図である。この封筒８１は分離手段として、封筒８１の外周部８３より突出した外部領域８５と物品を収納する物品収納領域８２との境界に位置する仕切り８６を設ける。そして物品収納領域８２に物品を収納し、外部領域８５にＲＦタグ２００を取り付けるものである。このようにＲＦタグ２００を封筒８２の外周部８３より突出して設けた外部領域８５に取り付けるので、封筒８２の収納部を仕切る必要がなくなり、汎用的な封筒を使用することができると共に、図示しないリーダライタの読み取り方向から見て金属性物品８４とＲＦタグ２００とが重なることがなくなり、金属性物品８４による磁束減衰障害の影響を低減することができる。尚、外部領域自体がＲＦタグである場合を含む。
図９は本発明の第６の実施形態に係る封筒の構成図である。本実施形態は封筒９１を収納する親封筒９２を更に備え、親封筒９２の開口側９８の領域を上部領域９４とし、この上部領域９４の下側の領域を下部領域９７とした場合、分離手段として上部領域９４と下部領域９７との境界に位置する仕切り９６を設ける。そして上部領域９４に封筒９１を収納し、下部領域９７にＲＦタグ２００を取り付けるものである。このように封筒９１全体を収納する親封筒９２を備え、その親封筒９２を上下に分離して上部領域９４に封筒９１を収納し、下部領域９７にＲＦタグ２００を取り付けるので、封筒９１を加工する必要がなくなり汎用的な封筒を使用することができると共に、親封筒９２を再使用することができ、且つ図示しないリーダライタの読み取り方向から見て金属性物品９５とＲＦタグ２００とが重なることがなくなり、金属性物品９５による磁束減衰障害の影響を低減することができる。
【００１６】
図１０は本発明の第７の実施形態に係る封筒の構成図である。本実施形態は封筒１０１を収納する親封筒１０２を更に備え、親封筒１０２の開口側１０７を除いた領域を周縁領域１０５とし、封筒１０１を収納する領域を封筒収納領域１０３とした場合、分離手段として周縁領域１０５と封筒収納領域１０３との境界に位置する仕切り１０４を設ける。そして封筒収納領域１０３に封筒１０１を収納し、周縁領域１０５にＲＦタグ２００を取り付けるものである。このように親封筒１０２の周辺を分離して中心部に封筒１０１を収納し、周縁領域１０５にＲＦタグ２００を取り付けるので、封筒１０１を加工する必要がなくなり汎用的な封筒を使用することができると共に、親封筒１０２を再使用することができ、且つ、図示しないリーダライタの読み取り方向から見て金属性物品１０６とＲＦタグ２００とが重なることがなくなり、金属性物品１０６による磁束減衰障害の影響を低減することができる。
図１１は本発明の第８の実施形態に係る封筒の構成図である。本実施形態は封筒１１１とは別体の札１１４を更に備え、封筒１１１に収納する物品とＲＦタグ２００を分離するために、札１１４を封筒１１１の外部に紐１１３などで取り付けると共に、この札１１４にＲＦタグ２００を取り付けるものである。このように封筒１１１とは別体の札１１４を紐１１３で封筒１１１に取り付け、その札１１４にＲＦタグ２００を取り付けるので、封筒１１１を加工する必要がなくなり汎用的な封筒を使用することができると共に、札１１４を再使用することができ、且つ、図示しないリーダライタの読み取り方向から見て金属性物品１１５とＲＦタグ２００とが重なることがなくなり、金属性物品１１５による磁束減衰障害の影響を低減することができる。
【００１７】
図１２は本発明の第９の実施形態に係る封筒の構成図である。本実施形態は封筒１２１の開口側１２４を上部領域１２５とし、且つ物品が金属性物品１２３の場合、上部領域１２５にＲＦタグ２００を取り付けることにより、上部領域１２５を上(矢印の方向)にしてＲＦタグ２００に記録されている関連情報を読み取ることにより、この封筒１２１に収納する物品とＲＦタグ２００を分離可能としたものである。このようにＲＦタグ２００を封筒１２１の上部領域１２５（開口側）に取り付け、ＲＦタグ２００の上方を図示しないリーダライタにより読み取るときは、封筒１２１を立てるようにすることにより、金属性物品１２３が重力により封筒１２１の底部に集まるので、ＲＦタグ２００と金属性物品１２３を分離することができ、金属性物品１２３による磁束減衰障害の影響を低減することができる。
図１３は本発明の第１０の実施形態に係る封筒の構成図である。本実施形態は制御ＩＣ１３２を封筒１３３の所定の場所に配置すると共に、アンテナ１３１を封筒１３３の外周全域に亘って配置したものである。本実施形態は封筒１３３に仕切りを設けないで金属性の物品による影響を低減するものである。即ち、ＲＦタグ２００に備えられたアンテナ２０は左程大きくないので、そのアンテナ２０に金属が重なる状況が発生すると、磁束減衰障害によりデータが正しく読み取れなくなる。そこで本実施形態では、アンテナ１３１を封筒１３３の外周全域に亘って配置して、金属性物品１３５が重なっても磁束減衰障害による影響を低減するものである。
【００１８】
図１４は本発明の第１１の実施形態に係る封筒の構成図である。本実施形態は、制御ＩＣ１４４を封筒１４１の所定の場所に配置すると共に、アンテナ１４３を封筒１４１の周囲に巻きつけるように配置したものである。このように本実施形態ではアンテナ１４３を封筒１４１の周囲に巻きつけるように配置するものである。この場合は、図示しないリーダライタの読み取り方向が封筒１４１の上下方向となり、側面からの読み取りは困難となるが、その分金属性物品１４５の影響が少なくなる。
図１５は本発明の第１２の実施形態に係る封筒の構成図である。本実施形態は、制御ＩＣ１５４を封筒１５１の所定の場所に配置すると共に、アンテナ１５３をリング状にして封筒１５１の一部から突出するように配置したものである。このように封筒内の金属の影響を受けにくくするには、アンテナ１５３を封筒１５１の外部に設けることが最良である。本実施形態では、アンテナ１５３をリング状にして封筒１５１の外部に突出させるものである。これによりアンテナ１５３がストラップとしての役割を兼ねると共に、金属性物品１５５による磁束減衰障害の影響を低減することができる。
図１６は本発明の第１３の実施形態に係る封筒の構成図である。本実施形態は、制御ＩＣ１６５をアンテナ１６３と一体化して配置すると共に、アンテナ１６３は封筒１６１の開口側１６４に着脱する止め具を兼ねるものである。このように封筒１６１の開口側１６４は糊やクリップ等で固定される。本実施形態はアンテナ１６３をクリップ等の形状にして、そのアンテナ１６３に制御ＩＣ１６５を一体化して備えるものである。これによりアンテナ１６３を再使用することができ、且つ金属性物品１６６による磁束反射障害の影響を低減することができる。
【００１９】
図１７は本発明の第１４の実施形態に係る封筒の構成図である。本実施形態は、制御ＩＣ１７３を封筒１７１の所定の場所に配置すると共に、アンテナ１７５（アンテナＡ〜Ｄ）を封筒１７１の四隅に配置して互いに接続したものである。このように封筒内の金属の影響が最も少ない場所は封筒１７１の四隅である。そこで本実施形態ではアンテナ７５（アンテナＡ〜Ｄ）を封筒の四隅に分散して配置し、各アンテナを並列に接続してデータ受信の感度を高めるものである。これによりアンテナ７５（アンテナＡ〜Ｄ）から受信するデータ受信の感度を高めることができると共に、金属性物品１７４による磁束減衰障害の影響を低減することができる。
図１８は本発明の第１５の実施形態に係る封筒の構成図である。本実施形態は、物品の関連情報を記録したＲＦタグを取り付けた封筒であって、ＲＦタグ２００（ＲＦタグＡ〜Ｄ）を封筒１８１の四隅に配置したものである。このように封筒内の金属の影響が最も少ない場所は封筒の四隅である。そこで本実施形態ではＲＦタグ２００（ＲＦタグＡ〜Ｄ）を封筒の四隅に配置し、各ＲＦタグ２００（ＲＦタグＡ〜Ｄ）からのデータを並列に受信してデータの信頼性を高めるものである。
尚、以上の説明では封筒に限定して説明したが、封筒に限らずＲＦタグを取り付け可能で、且つ金属以外のものであればこれに限定されない。
【図面の簡単な説明】
【００２０】
【図１】一般的なＲＦタグ用リーダライタの構成を示すブロック図である。
【図２】一般的なＲＦタグの構成を示すブロック図である。
【図３】本発明のＲＦタグの外形透視図である。
【図４】本発明の第１の実施形態に係る封筒の構成図である。
【図５】本発明の第２の実施形態に係る封筒の構成図である。
【図６】本発明の第３の実施形態に係る封筒の構成図である。
【図７】本発明の第４の実施形態に係る封筒の構成図である。
【図８】本発明の第５の実施形態に係る封筒の構成図である。
【図９】本発明の第６の実施形態に係る封筒の構成図である。
【図１０】本発明の第７の実施形態に係る封筒の構成図である。
【図１１】本発明の第８の実施形態に係る封筒の構成図である。
【図１２】本発明の第９の実施形態に係る封筒の構成図である。
【図１３】本発明の第１０の実施形態に係る封筒の構成図である。
【図１４】本発明の第１１の実施形態に係る封筒の構成図である。
【図１５】本発明の第１２の実施形態に係る封筒の構成図である。
【図１６】本発明の第１３の実施形態に係る封筒の構成図である。
【図１７】本発明の第１４の実施形態に係る封筒の構成図である。
【図１８】本発明の第１５の実施形態に係る封筒の構成図である。
【図１９】従来のＩＣタグの片面に磁束の磁路を形成する磁性シートを形成した場合の磁束の動作を説明する図である。
【符号の説明】
【００２１】
４１  封筒、４３  上部領域、４４  金属性物品（硬貨等）、４５  仕切り、４６  下部領域、４７  開口側、２００  ＲＦタグ
【図１】
2006089115.tif 000003
【図２】
2006089115.tif 000004
【図３】
2006089115.tif 000005
【図４】
2006089115.tif 000006
【図５】
2006089115.tif 000007
【図６】
2006089115.tif 000008
【図７】
2006089115.tif 000009
【図８】
2006089115.tif 000010
【図９】
2006089115.tif 000011
【図１０】
2006089115.tif 000012
【図１１】
2006089115.tif 000013
【図１２】
2006089115.tif 000014
【図１３】
2006089115.tif 000015
【図１４】
2006089115.tif 000016
【図１５】
2006089115.tif 000017
【図１６】
2006089115.tif 000018
【図１７】
2006089115.tif 000019
【図１８】
2006089115.tif 000020
【図１９】
2006089115.tif 000021